(57)【要約】【課題】  表示装置の輝度と映像の階調性能向上が図れるように、電子放出素子に印加する印加電圧の応答特性を早くし、印加時間を長くできるようにする。【解決手段】  行方向配線（スキャン線）の電気特性による波形鈍りを選択信号補正回路で補正した選択電圧をスキャン線に印加する。また、列方向に関してもマトリクス中の任意の電子放出素子点における列方向配線（データ線）の電気特性による波形鈍りを駆動信号補正回路で補正した駆動電圧をデータ線に印加する。電子放出素子に印加する選択信号と駆動信号を最適にし、平坦な電気特性部分を広げて発光期間となる選択時間と駆動時間を長くして、高輝度で、正確な階調性の表示が可能となる。【選択図】  図１
2007147930.tif 000002
【特許請求の範囲】
【請求項１】
表示装置において、
複数のスキャン線と、
該複数のスキャン線の少なくとも左右のいずれか一端に接続され、該複数のスキャン線に対し、スキャン電圧を印加するスキャンドライバと、
複数のデータ線と、
該複数のデータ線と接続され、該複数のデータ線に対し、入力された映像信号に応じた駆動電圧を印加するデータドライバと、
前記複数のスキャン線と前記複数のデータ線との交差部にそれぞれ接続され、前記スキャン電圧と前記駆動電圧との電位差に応じて電子を放出する電子放出素子と、
前記データドライバにより印加された駆動電圧が前記電子放出素子と印加駆動電圧に応じたピーク値を持つように補正する駆動電圧補正回路と、
を備えていることを特徴とする表示装置。
【請求項２】
請求項１に記載の表示装置において、
前記スキャンドライバが前記複数の走査線の左右のいずれか一端に接続され、
前記電子放出素子は第１の電子放出素子と、前記第１の電子放出素子と前記データドライバの間に配置された第２の電子放出素子とを含み、
前記駆動電圧補正回路は前記第２の電子放出素子よりも第１の電子放出素子に大きいピーク面積値を持つ電圧を印加するように前記データドライバにより印加された電圧を補正することを特徴とする表示装置。
【請求項３】
請求項１に記載の表示装置において、
前記スキャンドライバにより印加された電圧が印加スキャン電圧に応じたピーク値を持つように補正するスキャン電圧補正回路を備えることを特徴とする表示装置。
【請求項４】
請求項１〜３のいずかに記載の表示装置において、
前記駆動電圧補正回路及び/または前記スキャン電圧補正回路は前記印加された電圧の立上り時及び/または立下り時にピーク値を持つように補正することを特徴とする表示装置。
【請求項５】
表示装置において、
複数のスキャン線と、
該複数のスキャン線の少なくとも左右のいずれか一端に接続され、該複数のスキャン線に対し、スキャン電圧を印加するスキャンドライバと、
複数のデータ線と、
該複数のデータ線と接続され、該複数のデータ線に対し、入力された映像信号に応じた駆動電圧を印加するデータドライバと、
前記複数のスキャン線と前記複数のデータ線との交差部にそれぞれ接続され、前記スキャン電圧と前記駆動電圧との電位差に応じて電子を放出する電子放出素子と、
前記スキャンドライバより印加された電圧が電圧立上り時及び/または電圧立下り時にピーク値を持つように補正するスキャン電圧補正回路と、
を備えていることを特徴とする表示装置。
【請求項６】
請求項３または請求項５のいずれかに記載の表示装置において、
前記スキャン電圧補正回路は、前記スキャン線の配線の電気特性に応じた補正を行うことを特徴とする表示装置。
【請求項７】
請求項３または請求項５のいずれかに記載の表示装置において、
前記スキャン電圧補正回路は、前記スキャン電圧の電子放出素子部での波形の鈍りを補正して選択期間を長くすることを特徴とする表示装置。
【請求項８】
請求項１または請求項３のいずれかに記載の表示装置において、
前記駆動電圧補正回路は、前記データ線の配線の電気特性に応じた補正を行うことを特徴とする表示装置。
【請求項９】
請求項１または請求項３のいずれかに記載の表示装置において、
前記駆動電圧補正回路は、駆動電圧の電子放出素子部での波形の鈍りを補正して駆動時間を長くすることを特徴とする表示装置。
【請求項１０】
請求項１または請求項３のいずれかに記載の表示装置において、
前記駆動電圧補正回路は、前記データ線の選択された電子放出素子までの配線の電気特性に応じた補正を行うことを特徴とする表示装置。
【請求項１１】
請求項３または請求項５のいずれかに記載の表示装置において、
前記スキャン電圧補正回路は、前記複数のスキャン線に供給されるスキャン電圧とそのスキャン電圧を前記スキャン線の配線の電気特性に応じた補正信号とを加算することを特徴とする表示装置。
【請求項１２】
請求項１または請求項３のいずれかに記載の表示装置において、
前記駆動電圧補正回路は、前記複数のデータ線に供給される駆動電圧とその駆動電圧を前記データ線の配線の電気特性に応じた補正信号とを加算することを特徴する表示装置。
【発明の詳細な説明】
【技術分野】
【０００１】
本発明は、例えば、冷陰極型の電子放出素子を備え、該電子放出素子がマトリクス状に配置されたマトリクス型の表示装置に関する。
【背景技術】
【０００２】
冷陰極型の電子放出素子をマトリクス状に配置して形成した電子源を備え、電子源から出射される電子線で電子源に対向して配置された蛍光体を励起し、蛍光体で生じた可視光を利用するフラットパネルのディスプレイは、一般にＦＥＤ (Field Emission Displayの略称)と呼称される。
【０００３】
冷陰極型電子源の電子放出素子には、例えば電界放出型素子，表面伝導型電子放出素子や上部電極，電子加速層，下部電極で構成された薄膜型電子放出素子等がある。
【０００４】
ＦＥＤでは、数多くの電子放出素子がマトリクス状に構成されているので、各素子を結ぶ配線の持つ電気特性により電子放出素子の駆動信号波形が鈍り、表示輝度や表示品位が低下する事が知られている。そこで、駆動信号波形を改善して表示輝度や表示品位の向上を図る方法が、例えば特許文献１で提案されている。
【０００５】
【特許文献１】特開2004-20706号公報
【発明の開示】
【発明が解決しようとする課題】
【０００６】
しかし、特許文献１では、振幅変調駆動方法を用いた場合における表示品位を向上させる技術について言及していない。
【０００７】
本発明は、上記のような事情に鑑みてなされたものであり、その目的は、電子放出素子に印加する選択信号と駆動信号の波形鈍りを抑えて、最適化することによって輝度の向上と映像の階調性能の向上を図ることが可能な表示装置を提供することにある。
【課題を解決するための手段】
【０００８】
上記目的を達成するために、本発明に係る表示装置は、行方向配線（スキャン線）の電気特性による波形鈍りを選択信号補正回路で補正した選択電圧をスキャン線に印加する。また、列方向に関してもマトリクス中の任意の電子放出素子点における列方向配線（データ線）の電気特性による波形鈍りを駆動信号補正回路で補正した駆動電圧をデータ線に印加する。電子放出素子に印加する選択信号と駆動信号を最適にし、平坦な電気特性部分を広げて発光期間となる選択時間と駆動時間を長くして、高輝度で、正確な階調性の表示が可能となる。
【発明の効果】
【０００９】
本発明によれば、輝度の向上と映像の階調性能の向上を図ることが可能な表示装置を提供することができる。
【発明を実施するための最良の形態】
【００１０】
以下、本発明の最良の実施形態について、図面を参照しつつ説明する。
【実施例１】
【００１１】
ＦＥＤでは、複数の電子放出素子がマトリクス状に配線されており、これらの行方向配線（以下、「スキャン線」と称する）及び列方向配線（以下、「データ線」と称する）には、等価的に配線抵抗と配線インダクタンスと配線容量が存在する。従って、スキャン線やデータ線は、これらの配線インダクタンス，配線容量，配線抵抗で決定されるカットオフ周波数を有するローパスフィルタを等価的に形成する。つまり、スキャン線やデータ線は電気的にローパスフィルタ特性を示す。
【００１２】
一般に、マトリクス状に配置された任意の電子放出素子を駆動するには、対象電子放出素子が含まれるスキャン線とデータ線に、それぞれ行を指定する選択電圧ＶＳと映像信号に応じた駆動電圧を与える駆動電圧ＶＤを印加する。
【００１３】
しかし、スキャン線とデータ線が有する上記電気特性（ローパスフィルタ特性）により波形が鈍り、階調性能及び輝度が悪化して表示品位が低下する。そこで、表示画面全体で均一な輝度特性を得るために、選択信号と駆動信号の波形が鈍った立上り部や立下り部を除く、波形が安定した平坦な電気特性部分のみを使用して発光させた場合、発光時間が短くなり、更に輝度低下が起こる。
【００１４】
そこで、振幅変調駆動方法を用いた場合における表示品位を向上させる実施形態について説明する。
【００１５】
図１は、実施例１を示す表示装置のブロック構成図である。
【００１６】
図１に示すように、本実施例の表示装置は、複数の電子放出素子がマトリクス状に配設された電子放出型表示パネル１（以下、「表示パネル」と省略する）と、表示パネル１を駆動するスキャンドライバ２およびデータドライバ４と、スキャンドライバ２からの選択信号に基づいてデータドライバ４から出力される駆動信号に所定の補正を行い表示パネル１に加える駆動信号補正回路５と、表示パネル１に印加される高電圧の加速電圧を発生させる高圧発生回路６と、ビデオ信号入力端子８から入力される映像信号に対して所定のフォーマット変換を行うビデオ信号処理回路７と、入力映像信号に基づいてスキャンドライバ２，データドライバ４の制御を行うタイミングコントローラ９と、を備える。
【００１７】
図１において、ビデオ信号入力端子８に入力された映像信号は、ビデオ信号処理回路７に入力される。ビデオ信号処理回路７は、表示パネル１に表示可能なように信号の画素数、同期信号の周波数等のフォーマット変換を行う。そして、ビデオ信号処理回路７にてフォーマット変換された信号はタイミングコントローラ９に入力される。タイミングコントローラ９は、表示パネル１に表示できるよう、データの並び換えを行い、データドライバ４に入力する。また、表示パネル１の行を選択するためのタイミング信号である制御信号をスキャンドライバ２に入力する。
【００１８】
次に、表示部の構成の一例について説明する。表示部は、表示パネル１と、スキャンドライバ２と、データドライバ４と、駆動信号補正回路５と、高圧発生回路６とからなる。
【００１９】
表示パネル１は、パッシブマトリクス方式の表示パネルであり、互いに対向する背面基板（図示せず）と前面基板（図示せず）を有している。背面基板には、列方向(画面垂直方向)に延びる複数（ｍ本）のデータ線１０２が行方向(画面水平方向)に配列され、行方向に延びる複数（ｎ本）のスキャン線１０３が列方向に配列されている。そして、複数のデータ線と複数のスキャン線の各交点部に電子放出素子１０１が配設されている。これにより、複数の電子放出素子１０１がマトリクス状に配置される。前面基板には、各電子表出素子と対向する位置に、図示しない蛍光体が配置されている。
【００２０】
表示パネル１のスキャン線１０３には、スキャンドライバ２が接続されている。スキャンドライバ２は、タイミングコントローラ９からの制御信号に基づき、複数の電子放出素子１０１を行単位(１または２行)で選択するための選択信号を出力する。この選択信号は、列方向に順次スキャン線に印加され、次々に行の選択動作が行われる。これにより、スキャン線が列方向に順次スキャンされる。
【００２１】
また、表示パネル１のデータ線１０２には、駆動信号補正回路５を介してデータドライバ４が接続されている。データドライバ４には、タイミングコントローラ９から出力された映像データが供給される。データドライバ４は、スキャンドライバ２による行選択に対応して、上記映像データに基づく駆動信号を駆動信号補正回路５を介してデータ線１０２に供給する。また、データドライバ４は、タイミングコントローラ９からのタイミング信号に基づき、表示パネル１の１行分のデータ、すなわちタイミングコントローラ９からの１ライン分の映像データを１水平期間保持し、また１水平周期毎にデータを書き換える。
【００２２】
また、表示パネル１のアノード線１０４には、電子放出素子１０１から放出された電子を加速するための加速電圧(例えば７ｋＶ)を発生させる高圧発生回路６が接続されている。電子放出素子１０１からの電子は、この加速電圧により、図示しない背面基板側から前面基板側へ加速される。
【００２３】
以上述べたように構成された表示パネルにおける、表示に係る動作について以下に説明する。上記スキャンドライバ２によってスキャン線１０３を介して選択信号として選択パルスが印加された(すなわち選択された)１行の電子放出素子１０１に、データドライバ４から駆動信号補正回路５，データ線１０２を介して駆動信号が与えられると、当該行の電子放出素子は、選択信号と駆動信号との電位差に応じた量の電子を放出する。行選択時においてスキャン線に印加される選択信号の電圧（以下、「選択電圧」と称する）ＶＳのレベルは、電子放出素子の位置に関わらず一定であるため、電子放出素子からの電子放出量は、データ線に印加される駆動信号の電圧（以下、「駆動電圧」と称する）ＶＤのレベルにより変化する。すなわち、電子放出量は、駆動信号の基となる映像信号のレベルによって定まる。
【００２４】
ここで、電子放出素子に印加される印加電圧に対する電子放出特性について、図３を用いて説明する。図３（２）に示すように、電子放出素子に印加される印加電圧は、選択電圧ＶＳと駆動電圧ＶＤとの差電圧で規定される。選択電圧ＶＳは、例えば行を選択する場合、電圧Ｖｔｈであり、非選択の場合には０Ｖである。また、駆動電圧ＶＤは、例えば表示されない場合（黒表示の場合）０Ｖであり、明るく表示する場合には負電圧方向に大きくなる（但し、−Ｖｔｈを越えない）。従って、選択行の電子放出素子では、映像データに応じた駆動電圧ＶＤが印加されると、印加電圧（ＶＳ−ＶＤ）は、図３（１）に示される放出開始電圧Ｖｔｈを超え、駆動電圧ＶＤに対応した電子放出が生じることになる。
【００２５】
図１に戻って、表示パネル１には、高圧発生回路６からの加速電圧(例えば７ｋＶ)が加えられている。このため、電子放出素子から放出された電子は、この加速電圧により加速され、表示パネル１の前面基板に配置された蛍光体に衝突する。蛍光体は、この加速電子の衝突により励起し、発光する。これにより、選択された１水平ラインの映像が表示される。さらに、スキャンドライバ２は、複数のスキャン線に対し、列方向に順次選択信号を印加することにより、１行ずつ電子放出素子の選択を行う。これにより、１フレームの映像を表示パネルの表示面上に形成すことができる。表示パネルの輝度（明るさ）は、電子放出素子に印加している時間が長いほど高く（明るく）、印加電圧が安定していれば、所望の階調及び輝度が得られ、高品位な映像が得られる。
【００２６】
図２は、電子放出素子を２次元的に水平ｍ個ｘ垂直ｎ個とマトリクス状に配置した表示パネルの等価回路である。図２から明らかなように、表示パネル１を構成する各電子放出素子を接続する配線（スキャン線，データ線）は、配線抵抗Ｒ１，Ｒ２、配線インダクタンスＬ１，Ｌ２、配線容量Ｃを有している。該配線の電気特性は、これらの等価素子（Ｒ，Ｌ，Ｃ）で決定されるカットオフ周波数を持つローパスフィルタ特性を示す。表示パネル１がフルハイビジョンパネルの場合、その画素となる電子放出素子の数（画素を単位とした数）は、水平方向が１９２０×３個で、垂直方向が１０８０個となり、一般にデータ線の抵抗Ｒ２がスキャン線の抵抗Ｒ１より大きい。なお、図２において、Ｄ１，Ｄ２，…，Ｄｍは表示パネル１のデータ線１０２の端子（表示パネルへの給電点）、ＶＤ１，ＶＤ２，…，ＶＤｍは端子Ｄｊ（ｊ：１〜ｍ）に印加される駆動電圧、Ｓ１，Ｓ２，…，Ｓｎは表示パネル１のスキャン線１０３の端子（給電点）、ＶＳ１，ＶＳ２，…，ＶＳｎは端子Ｓｉ（ｉ：１〜ｎ）に印加される選択電圧である。また、ＶＤｍ’とＶＳｎ’は給電端子Ｄｍ，Ｓｎから最も離れた位置にある電子放出素子に加わる駆動電圧と選択電圧である。以下、ｉ行，ｊ列の交点に位置する電子放出素子を（ｉ，ｊ）で示すものとする。
【００２７】
図２において、前述のごとく電子放出素子を動作させるためには、スキャンドライバ２から行単位(１または２行)で選択信号を１行目の選択電圧ＶＳ１からｎ行目の選択電圧ＶＳｎに順次出力すると同時に、データドライバ４からは駆動信号補正回路５を介して、１水平期間分保持された駆動信号の１列目の駆動電圧ＶＤ１からｍ列目の駆動電圧ＶＤｍを印加する。
【００２８】
スキャン線１０３およびデータ線１０２の配線の電気特性（ロ−パスフィルタ特性）により、選択信号及び駆動信号は影響を受けて波形が鈍る。そのため、表示パネル１の給電端子Ｓｉ，Ｄｊから遠い電子放出素子部ほど波形が鈍り、印加電圧の安定した時間、すなわち発光時間が短くなり、暗い映像となる。また、表示装置の大画面化、高解像度化で更に影響が大きくなる。
【００２９】
次に、上記した選択信号及び駆動信号の波形の鈍りと輝度について図４と図５を用いて説明する。図４の（１）と（２）は従来の選択電圧波形と駆動電圧波形を示す図で、図５は本実施例による駆動電圧波形である。すなわち、本実施例では、任意の電子放出素子における駆動信号の波形を補正するものである。その補正は後述する駆動信号補正回路５で行う。
【００３０】
図４の左側に、図２に示す表示パネル１のｎ行目の給電端子Ｓｎにおける選択電圧ＶＳｎ及びｍ列目の給電端子Ｄｍにおける駆動電圧ＶＤｍを示す。また、その右側に、給電端子Ｓｎ，Ｄｍから最も離れた位置にある電子放出素子（ｎ，ｍ）部の選択電圧ＶＳｎ’及び駆動電圧ＶＤｍ’を示す。ここでは、給電端子から遠いｎ行ｍ列の交点に位置する電子放出素子（ｎ，ｍ）に加わる選択電圧ＶＳｎ’，駆動電圧ＶＤｍ’に着目する。
【００３１】
電子放出素子に印加する選択電圧ＶＳｎ及び駆動電圧ＶＤｍの時間を選択期間ＴＬとすると、一般にスキャン線配線抵抗Ｒ１＜データ線配線抵抗Ｒ２なので、選択電圧ＶＳｎ，ＶＳｎ’及び駆動電圧ＶＤｍ，ＶＤｍ’は、図４（１）に示す波形となる。すなわち、それらの応答特性は（選択電圧ＶＳｎ’の立上りおよび立下り時間）＜（駆動電圧ＶＤｍ’の立上りおよび立下り時間）となる。従って、立上りおよび立下り時間の長い駆動電圧ＶＤｍ’の波形の影響で映像の階調性が悪化する。
【００３２】
輝度の階調性が悪化しないように、駆動電圧ＶＤｍ’の電圧が平坦な期間を輝度安定期間ＴＬ１とし、該輝度安定期間ＴＬ１にＶＳｎ’の立上り時間ＴＬ２分を加えた選択期間ＴＬ３で、選択電圧を印加すれば図４（２）の波形となる。この結果、駆動電圧ＶＤｍ’の立下りでの発光がなくなるので、映像の階調性は改善される。しかし、発光時間が短くなり輝度低下となる。
【００３３】
そこで、本実施例では、駆動電圧ＶＤｍ’の立上りおよび立下り時間が短くなるようにする。すなわち、図５に示すように、立下り，立上り特性の悪いデータ線の駆動電圧ＶＤｍに対して、電圧波形の立上り部および立下り部でピーキングを持たせ、データ配線の有するローパスフィルタ特性とは逆の周波数補正を行う。この補正のピーク値は、電子放出素子の位置、印加する駆動電圧値に基づいて設定される。これにともない、電子放出素子にかかる駆動電圧ＶＤｍ’の輝度安定期間を長くすることができる。従って、図５右側に示すように、輝度安定期間ＴＬ４が選択期間ＴＬに近づき、映像の階調性と輝度の向上が図れる。
【００３４】
次に、図５の駆動電圧波形を補正する方法について図６を用いて説明する。図６の（１）は従来の駆動電圧ブロック図、図６の（２）及び（３）は本実施例による駆動電圧ブロック図である。そのうちの図６（２）は、ｎ行目の選択行に位置する電子放出素子に着目して補正した駆動電圧ブロック図である。
【００３５】
既に述べたように、データ線の給電端点Ｄからｎ行目の電子放出素子までの配線の周波数特性は、一般的に配線抵抗Ｒ２と配線容量Ｃの影響によりローパスフィルタ（以下、「ＬＰＦ」と記す）となる。このＬＰＦの周波数特性をＦｎで示すものとする。ｎ行目の選択行に位置する電子放出素子に加わる駆動電圧ＶＤ’波形を最適にするには、図６の（２）に示すように、駆動信号補正回路５で、データドライバ４から供給される駆動電圧ＶＤに特性（１−Ｆｎ）のハイパスフィルタ（以下、「ＨＰＦ」と記す）６０１ｎを通して、加算器６０２にて足し込めばよい。これにより駆動信号補正回路５の出力波形は例えば図５の左側波形となる。このように補正した駆動信号をデータ線に印加すれば、例えば図５の右側波形に示すように、ｎ行目の電子放出素子では波形鈍りのない駆動電圧波形が得られる。
【００３６】
図６（２）では、ｎ行目の電子放出素子にかかる駆動電圧の補正のみに着目して説明した。しかし、データ線の有する配線抵抗や配線容量は給電端点からの距離（選択行）に応じて変化する。つまりＬＰＦの特性Ｆｉ（ｉ：１〜ｎ）も変化することになる。従って、電子放出素子が配置されている行に応じてＨＰＦの特性（１−Ｆｉ）を可変するのがよい。言い換えれば、データドライバより遠いほど、ピーク面積値が大きい補正を駆動電圧にかけることが望ましい。さらにまた、この補正のピーク値はデータドライバから印加される駆動電圧値にも基づいて設定される。
【００３７】
図６（３）は選択行毎にＨＰＦの特性を可変するようにした本実施例による駆動電圧ブロック図である。すなわち、図６（３）のように、スキャン線の選択信号（ｉ：１〜ｎ）のタイミングで各データ線の駆動電圧を補正するＨＰＦ６０１ｉをスイッチ６０３で切り換えれば、電子放出素子ごとに波形鈍りのない波形を得られる。
【００３８】
勿論、ＨＰＦやスイッチを安価にするため、例えばｎ／２行目に対応したＨＰＦ６０１（ｎ／２）のみを用いてＨＰＦを固定してもよい。これでも、駆動電圧ＶＤの立下りや立上り特性が従来より改善されるので、映像の階調性と輝度の向上が図れる。また、ＨＰＦ数をスキャン線のｎ個以下にして、例えば隣り合う２行でＨＰＦを共用するようにして、ＨＰＦ数をｎ／２としてもよい。
【００３９】
本実施例では、データドライバが表示パネルの一端に設置されている例を説明したが、本実施例はこれに限られず、データドライバを表示パネルの上下に配置した形態にも適用できる。この場合、画面中央部ほど配線の電気特性の影響を受けやすいため、画面中央部側ほど電圧波形の立ち上り部及び立下り部でピーキングの値が大きい周波数補正を行う事となる。
【実施例２】
【００４０】
次に、実施例２について説明する。なお、以下では、実施例１との対比ができるように、給電端子から遠いｎ行ｍ列の交点に位置する電子放出素子（ｎ，ｍ）に加わる選択電圧ＶＳｎ’，駆動電圧ＶＤｍ’に着目して説明する。
【００４１】
実施例１では、データ線の持つＬＰＦ特性による駆動電圧ＶＤの立上り，立下り特性の劣化の改善について述べたが、スキャン線の持つＬＰＦによって選択電圧の立上り，立下り特性も劣化する。そこで、スキャン線側にも本発明を適用したのが実施例２である。
【００４２】
図７は、実施例２を示す表示装置のブロック構成図である。図７において、符号３はスキャンドライバ２からの選択電圧に対して、電圧波形の立上り部および立下り部でピーキングを持たせる補正を行う選択信号補正回路である。なお、図７において、図１と共通な機能を有する要素には同一な符号を付して示し、その説明を省略する。
【００４３】
まず、実施例２による選択信号及び駆動信号の波形の鈍りと輝度について図８を用いて説明する。図８（１）は、従来の選択電圧波形と駆動電圧波形を示す図で、実施例との比較のため図４（１）を再記したものである。また図８（２）は、本実施例による選択電圧と駆動電圧波形である。すなわち、本実施例では、実施例１に加えて、任意の電子放出素子における選択信号の波形も補正するものである。その補正は後述する選択信号補正回路３で行う。
【００４４】
本実施例では、実施例１と同様に駆動電圧ＶＤｍ’の立上り，立下り時間を短くするとともに、選択電圧ＶＳｎ’の立上り，立下り時間が短くなるようにする。すなわち、図８に示すように、立下り，立上り特性の悪いデータ線の駆動電圧ＶＤｍに対して、電圧波形の立上り部および立下り部でピーキングを持たせる。かつ、スキャン線の選択電圧ＶＳｎに対しても、電圧波形の立上り部および立下り部でピーキングを持たせる。この補正のピーク値は、印加するスキャン電圧値に基づいて設定される。これにともない、電子放出素子にかかる駆動電圧ＶＤｍ’および選択電圧ＶＳｎ’の輝度安定期間を長くすることができる。従って、図８右側に示すように、輝度安定期間ＴＬ５が選択期間ＴＬに近づき、映像の階調性と輝度の向上が図れる。
【００４５】
次に、図８（２）の選択電圧波形を補正する方法について図９を用いて説明する。図９（１）は従来の選択電圧ブロック図、図９（２）は本実施例による選択電圧ブロック図である。
【００４６】
スキャン線の給電端点からｍ列目の電子放出素子までの配線の周波数特性は、一般的に配線抵抗と配線容量の影響によりＬＰＦとなる。この特性をＦｍで示すものとする。ｍ列目のデータ列に位置する電子放出素子に加わる選択電圧ＶＳ’波形を最適にするには、図８（２）に示すように、選択信号補正回路３で、スキャンドライバ２から供給される選択電圧ＶＳに特性（１−Ｆｍ）のＨＰＦ３０１を通して、加算器３０２で足し込めばよい。これにより選択信号補正回路３の出力波形は例えば図８（２）の左側波形となる。このように補正した駆動信号をスキャン線に印加すれｍ列目の電子放出素子部では波形鈍りのない波形が得られる。
【００４７】
しかし、選択電圧は、行単位で電子放出素子の選択を行うため、選択している行の任意の列の電子放出素子ごとに最適な補正をかけることができない。したがって、選択している行の任意の電子放出素子が最適になるような補正をかけられないため、スキャン線の給電端点１列目からｍ列目のどこかのフィルタ特性を補正するような特性の補正値に固定する。例えば、補正値を表示パネルの中央部のｍ／２列目とするとＨＰＦの特性を（１−Ｆ（ｍ／２））に設定する。
【００４８】
以上述べた本実施例によれば、データ線のみならず、スキャン線でも選択電圧の立上り，立下り特性の補正を行うので、映像の階調性と輝度の向上が図れる。
【００４９】
なお、本実施例では、選択信号補正回路３や駆動信号補正回路５を独立して設けたが、本実施例はこれに限定されるものではなく、例えば、選択信号補正回路と駆動信号補正回路をそれぞれスキャンドライバ２とデータドライバ４内に持たせてもよい。この場合、タイスキャンドライバ２からデータドライバ４にもフィルタ切り換え用に選択信号が出力される。
【００５０】
また、本実施例では、スキャンドライバが表示パネルの一端に設置されている例を説明したが、本実施例はこれに限られず、スキャンドライバを表示パネルの両端に配置した形態にも適用できる。
【図面の簡単な説明】
【００５１】
【図１】実施例１を示す表示装置のブロック構成図
【図２】表示パネルの等価回路を示す図
【図３】電子放出素子に印加される印加電圧に対する電子放出特性を示す図
【図４】従来の選択電圧波形と駆動電圧波形を示す模式図
【図５】実施例１による駆動電圧波形を示す模式図
【図６】駆動電圧波形鈍りを補正する動作を説明する図
【図７】実施例２を示す表示装置のブロック構成図
【図８】実施例２による駆動電圧波形を示す模式図
【図９】選択電圧波形鈍りを補正する動作を説明する図
【符号の説明】
【００５２】
１…表示パネル、２…スキャンドライバ、３…選択信号補正回路、４…データドライバ、５…駆動信号補正回路、６…高圧発生回路、７…ビデオ信号処理回路、８…ビデオ信号入力端子、９…タイミングコントローラ、１０１…電子放出素子、１０２…データ線、１０３…スキャン線、１０４…アノード線、３０１…ＨＰＦ、３０２…加算器、６０１…ＨＰＦ、６０２…加算器、６０３…スイッチ、
【図１】
2007147930.tif 000003
【図２】
2007147930.tif 000004
【図３】
2007147930.tif 000005
【図４】
2007147930.tif 000006
【図５】
2007147930.tif 000007
【図６】
2007147930.tif 000008
【図７】
2007147930.tif 000009
【図８】
2007147930.tif 000010
【図９】
2007147930.tif 000011